(57)【要約】【課題】エコ給湯器から出る排冷風を再利用することによって省エネに貢献でき、しかも快適な温度環境に調整可能な冷風供給装置を提供する。【解決手段】給湯設備として設置されるエコ給湯機１を利用し、エコ給湯機１に排気ダクト３を付設して構成され、建物の壁７に開設した吸気窓口５から排冷風を屋内へ導入し、吸気窓口５に設けた風量調整用シャッター６により、屋内に流入する冷気量を調整することで、屋内の冷房温度をコントロールする。吸気窓口５はアコーディオン（蛇腹）式のシャッター６にて仕切り、窓口５の開閉量を自在に調整する。【選択図】  図１
0003153713.tif 000002
【実用新案登録請求の範囲】
【請求項１】
大気中の潜熱を吸収する熱交換器を有し、該熱交換器により市水を加熱して得た温水をタンクに貯湯し給湯するエコ給湯機の冷風排出口に、前記熱交換器において熱交換することによって得られた冷気を建物屋内へ導入する排気ダクトを設けたことを特徴とする冷風供給装置。
【請求項２】
排気ダクトの排気口端を建物壁から離間して設けたことを特徴とする請求項１記載の冷風供給装置。
【請求項３】
排気ダクトと建物屋内との間にアコーディオン（蛇腹）式のシャッターを設けたことを特徴とする請求項１又は請求項２記載の冷風供給装置。
【考案の詳細な説明】
【技術分野】
【０００１】
本発明は、ヒートポンプ式給湯機（以下、エコ給湯機と称する）の運転時に発生する冷気を利用した冷風供給装置に関する。
【背景技術】
【０００２】
従来、フロンガスを冷媒として用いたヒートポンプ式給湯機が使用されていたが、フロンガスはオゾン層を破壊することから使用が禁止され、現在、二酸化炭素等の自然冷媒を使用したエコ給湯機の普及が進んでいる。
【０００３】
ところでこのエコ給湯機は、大気と熱交換して得たエネルギーで水道水を加熱して貯湯するものであり、吸熱されて低温になった空気はそのまま大気中に放散されている。そこで、この冷気を屋内のトイレ、洗面所、脱衣所、風呂場等に供給し、スポット的に簡易冷房するシステムが提案されている（例えば、特許文献１参照。）。
【０００４】
【特許文献１】特開２００２−８９８８３号公報
【考案の開示】
【考案が解決しようとする課題】
【０００５】
しかしながら、一般家屋に設置されるエコ給湯機は、商用電力需要の減少する２３時から７時までの間、通常の約３分の１程度の低廉なコストで供給される深夜電力を利用して稼動するケースが多く、この場合には、人が活動しない時間帯に洗面所などを冷房することになるため、一般家庭においては特段のメリットは得られないという問題があった。しかしながら、追い炊き方式の温泉施設やスパ施設においては昼夜を問わず客室の冷房に利用できるというメリットがある。
【０００６】
本考案は、エコ給湯機において冷媒と熱交換することによって冷却された冷気を、建物の屋内へ導入する冷気供給部及び家屋内へ導入される冷気による冷房能力を調整する調整手段を備えることを基本構成とし、エコ給湯機から排出される冷風を利用することによって省エネに貢献でき、しかも自在かつ容易に流入冷風量を調節することができる冷風供給装置を提供することを課題としている。
【課題を解決するための手段】
【０００７】
このため本考案の冷風供給装置は、大気中の潜熱を吸収する熱交換器を有し、該熱交換器により市水を加熱して得た温水をタンクに貯湯し、給湯するエコ給湯機の冷風排出口に、前記熱交換器において熱交換することによって得られた冷気を建物屋内へ導入する排気ダクトを設けたことを第１の特徴とする。また、排気ダクトの排気口端を建物壁から離間して設けたことを第２の特徴とする。さらに、排気ダクトと建物屋内との間に蛇腹式のシャッターを設けたことを第３の特徴とする。
【考案の効果】
【０００８】
（１）エコ給湯機から排出される冷気を屋内に導いて冷房に活用するので、省エネに貢献できる。とくに深夜電力を使用する場合、午後１１時から午前７時までの時間帯は、排冷風のエネルギー程度で充分に室温を冷房することができる。しかも風量調整手段によって過冷却を防止して快適な温度環境に調整することが可能であり、特に夏場、一般家庭においても安眠を得るために好適に使用できる。
（２）排冷気をエコ給湯機から直接的に導入するので、屋内の高い冷房効果が得られる。また、排気ダクトの排気口端を建物壁から離間して設けたので、排冷気は風圧により吹出口方向と隙間から外気方向にも流れ、その静圧作用により塵埃、昆虫などの混入を防止できる。また、送風ダクト開口部からの異物混入も高風圧のため起らない。
（３）排気ダクトと建物屋内との間に蛇腹式のシャッターを設けたので、自在かつ容易に流入冷風量を調節することができ、必要なだけの冷気を効率的に送気できる。また、冷風量の割合を可変調整できるため、外気温度、屋内の状況などによって変化する必要冷房能力に応じて冷風の供給量を任意に調整できる。
【考案を実施するための最良の形態】
【０００９】
以下、本考案の実施の形態を図面に示す実施例に基づいて説明する。
図１は本考案に係る一実施例を示す側面図、図２は排気ダクトと吸気口の要部拡大図、図３は風量調節シャッターを示す（ａ）は正面図、（ｂ）は図（ａ）のＡ−Ａ線断面図である。
【００１０】
本考案に係る冷風供給装置は、図１に示すように、建物への給湯設備として設置されるエコ給湯機１を利用するものであり、エコ給湯機１に排気ダクト３を付設して構成され、建物の壁７に開設した吸気窓口５から排冷風を屋内へ導き、吸気窓口５に設けた風量調整用シャッター６により、屋内に流入する冷風量を調整することで、冷房温度をコントロールするようにされている。
【００１１】
具体的には、吸気窓口５をアコーディオン（蛇腹）式のシャッター６にて仕切り、図３に示すように、取手６aを持って左右に移動させることにより吸気窓口５の開閉量を自在に調整できるようにする。このように、排冷気をエコ給湯機１から直接的に導入するので、屋内の高い冷房効果が得られる。また、排気ダクト３の排気口端を建物壁から任意の距離ｄ（５０ｍｍ程度）の間隙を持って離間して設けることで、排冷気は風圧により吹出口方向と隙間から外気方向にも流れ、その静圧作用により塵埃、昆虫などの混入を防止できようにされている。また、排気ダクト３の開口部からの異物混入も高風圧のため起らない。
【００１２】
エコ給湯機１を設置する建物としては、一般住宅、商業施設、オフィス、学校、工場なども含むが、本考案の冷風供給装置は、追い炊き方式の温泉施設やスパ施設に設置するのが好適である。また一般家庭の寝室に設置してもよい。エコ給湯機１は、二酸化炭素を冷媒として大気と熱交換して得たエネルギーで水を加熱して貯湯するものであり、コンプレッサーを含む凝縮器での放熱作用を利用した加熱装置として用いられる。つまり、熱交換器８において大気から吸熱した冷媒をコンプレッサーで圧縮することによって高温化した冷媒が水を加熱して得られた温水を貯湯タンク２に貯湯するものである。
【００１３】
エコ給湯機１は、高い省エネルギー効果が得られる上、電力会社との契約により、電力需要の減る午後１１時から午前７時までの間、約３分の１程度の低廉なコストで電力供給を受けることができる深夜電力料金制度を利用すると、ランニングコストが大幅に節減できる。さらに、火を使わないため、火災や不完全燃焼による中毒等も危惧なく、しかも二酸化炭素排出など燃焼ガスによる空気汚染、燃焼時に生じる水蒸気による結露などが防止できることから、屋内の環境が向上するなどの利点が多く、今後一層の普及が見込まれている。
【産業上の利用可能性】
【００１４】
尚、本考案の要旨は、エコ給湯機から排気される冷風を再利用して建物屋内施設の冷房の一助となり得る冷風供給装置を提供することにあり、本考案の主たる構成要件を有する限り、上記実施例に限定されることなく種々の応用変形が可能であることは言うまでもない。例えば、本実施例では、風量調節シャッターをアコーディオン（蛇腹）式としたが、スリット式等でもよい。
【図面の簡単な説明】
【００１５】
【図１】本考案の一実施の形態をする側面図である。
【図２】排気ダクトと吸気口の要部拡大図である。
【図３】風量調節シャッターを示す（ａ）は正面図、（ｂ）は図（ａ）のＡ−Ａ線断面図である。
【符号の説明】
【００１６】
１    エコ給湯機
２    貯湯タンク  
３    排気ダクト
４    送風ファン
５    吸気窓
６    風量調整用シャッター（蛇腹式）
６ａ  取手
７    建物の壁
８    熱交換ユニット
ｄ    間隙（離間距離）
【図１】
0003153713.tif 000003
【図２】
0003153713.tif 000004
【図３】
0003153713.tif 000005